(57)【要約】【課題】検体採取作業の効率向上を図るとともに検体情報の一元管理を容易に行うことが可能なこと。【解決手段】検体情報管理装置のサーバ１００は、受信部３０１と、送信部３０２と、制御部３０３と、データ管理部３０４と、ＤＢ３０８とを備える。データ管理部３０４は、登録部３０５と、検索部３０６と、紐付け部３０７とを含む。紐付け部３０７では、予めＤＢ３０８に格納された患者ＩＤ情報Ｄ１および検査情報Ｄ２と、受信された採血管ＩＤ情報Ｄ３との関連づけを行う。【選択図】        図３
2006090937.tif 000002
【特許請求の範囲】
【請求項１】
検体採取前に予め被験者に付与された被験者識別情報と、当該被験者の検査情報とが入力され、前記被験者識別情報と前記検査情報とをデータベースに登録するデータベース登録手段と、
前記被験者識別情報の読み取り手段と、
検体用容器に予め付与された検体用容器識別情報を読み取る容器識別情報読み取り手段と、
前記被験者識別情報と前記検査情報と前記検体用容器識別情報との関連付けを行う紐付け手段と、
を備えることを特徴とする検体情報管理装置。
【請求項２】
入力された前記被験者識別情報に基づいて前記データベースから前記検査情報を検索するとともに、入力された前記検体用容器識別情報に基づいて前記データベースから前記被験者識別情報および前記検査情報の検索を行うデータベース検索手段をさらに備えることを特徴とする請求項１に記載の検体情報管理装置。
【請求項３】
前記被験者識別情報、前記検査情報および前記検体用容器識別情報を表示する表示手段をさらに備え、前記表示手段に表示された前記検査情報に基づいて検体採取および検体検査を行うことを特徴とする請求項１または２に記載の検体情報管理装置。
【請求項４】
検体採取受付部に配設された第１の端末と、検体採取部に配設された第２の端末と、検体処理部に配設された第３の端末と、ネットワークを介して前記第１、第２および第３の端末が接続されたサーバとを備え、
前記サーバは、前記データベース登録手段と、前記紐付け手段と、前記データベース検索手段とを少なくとも備え、
前記第１の端末は、前記被験者識別情報と前記検査情報とを入力する入力手段を備え、
前記第２の端末は、前記被験者識別情報の読み取り手段と、前記容器識別情報読み取り手段と、前記表示手段とを備え、
前記第３の端末は、前記容器識別情報読み取り手段と、前記表示手段とを備えることを特徴とする請求項２または３に記載の検体情報管理装置。
【請求項５】
前記検体用容器識別情報がバーコードで表示され、前記容器識別情報読み取り手段がバーコードリーダであることを特徴とする請求項１〜４のいずれか一つに記載の検体情報管理装置。
【請求項６】
計時手段をさらに備え、
前記データベース登録手段は、前記計時手段により取得される検体採取時刻情報を前記データベースに登録することを特徴とする請求項１〜５のいずれか一つに記載の検体情報管理装置。
【請求項７】
前記容器識別情報読み取り手段による第１回目の読み取りにより取得された前記検体用容器識別情報が、前記紐付け手段による前記関連付けに用いられ、
前記容器識別情報読み取り手段による第２回目の読み取りにより取得された前記検体用容器識別情報が、検体採取の終了確認に用いられることを特徴とする請求項１〜６のいずれか一つに記載の検体情報管理装置。
【請求項８】
前記表示手段は、検体採取が終了した前記検体用容器の前記検体用容器識別情報と、検体が未終了の前記検体用容器の前記検体用容器識別情報とを、判別可能に表示することを特徴とする請求項１〜７のいずれか一つに記載の検体情報管理装置。
【請求項９】
検体採取の前に予め被験者に付与された被験者識別情報と、当該被験者の検査情報とを入力して前記被験者識別情報と前記検査情報とをデータベースに登録する工程と、
検体採取の前に予め検体用容器に付与された検体用容器識別情報の読み取りを行う検体用容器識別情報読み取り工程と、
前記検体用容器識別情報読み取り工程で読み取った前記検体用容器識別情報を、前記データベースに登録された前記被験者識別情報および前記検査情報と関連付ける工程と、
を含むことを特徴とする検体情報管理方法。
【請求項１０】
前記被験者識別情報の読み取りを行うとともに、読み取った前記被験者識別情報に基づいて、前記データベースから前記検査情報の検索を行う工程と、
前記検索により取得された前記検査情報に基づいて検体用容器を選定する工程と、
前記検体用容器識別情報の読み取りを行うとともに、読み取った前記検体用容器識別情報に基づいて、前記データベースから前記被験者識別情報および前記検査情報の検索を行う工程とをさらに含むことを特徴とする請求項９に記載の検体情報管理方法。
【請求項１１】
前記検体用容器識別情報がバーコードで表示され、前記検体用容器識別情報読み取り工程は、前記検体用容器識別情報の読み取りをバーコードリーダにより行うことを特徴とする請求項９または１０に記載の検体情報管理方法。
【発明の詳細な説明】
【技術分野】
【０００１】
この発明は、採血管、試験管、シャーレ等の検体用容器に収容された検体の各種情報（以下、検体情報と呼ぶ）を管理する検体情報管理装置および検体情報管理方法に関する。
【背景技術】
【０００２】
病院では、採血や採尿等により得られた患者（被験者）の血液や尿（以下、これらを検体と総称する）を検体用容器に収容して検査に供する際、検体用容器にラベルを貼着し、このラベルに患者の情報（例えば、氏名、性別、診療科名、病棟等）、検査の情報（例えば、検査項目等）および検体の処理に関する情報（例えば、感染症マークや至急区分等）を記入する。従来は、これらの情報が手書きや印刷によってラベルに記入されるとともに、各種情報が記入されたラベルの各々を、手作業により各検体用容器に貼着する。それゆえ、このようなラベルの記入作業および貼着作業は手間を要し、作業効率が悪い。
【０００３】
例えば、病院では、多岐にわたる各種の検査が行われており、これらの検査に対応してそれぞれ検体用容器が準備される。検体用容器は、各種の検査項目のうち対象とする検査項目の検体用容器であることを一目で識別可能なように、検査項目の各々に対応して異なる形状や色違いのキャップを有する。このような検体用容器にラベルを貼着する際には、作業者がラベルに記入された患者の情報や検査の情報に対応する検体用容器を適切に選定した上でラベルを貼着する必要がある。それゆえ、貼着作業に手間がかかるとともに、ラベルを誤った検体用容器に貼着するおそれがある。ラベルの誤貼着は、本来行うべき検査とは異なる検査を行うこととなるため、医療ミスにつながる可能性がある。
【０００４】
そこで、ラベル貼着作業の効率向上および誤貼着の防止を図る方法として、患者の情報や検査の情報等の各種情報を印字したラベルを当該情報に対応した適切な検体用容器に自動で貼着するとともに、この検体用容器を患者別に自動で分ける装置（以下、検体用容器準備装置と呼ぶ）を利用する方法がある（例えば、特許文献１および特許文献２参照。）。かかる方法では、このような検体用容器準備装置を用いて、予め検体用容器を準備する。
【０００５】
図９は、検体用容器準備装置により作成された従来のラベルの例を示す模式図である。図９に示すように、作成されたラベルには、患者の氏名９０１、感染症マーク９０２、検体用容器の種類９０３、至急区分９０４、検体種材料名称（具体的には、血液、血漿、血清、透析液、髄液等）９０５、採取量９０６、メモ９０７、バーコード９０８、採取日９０９、依頼元９１０、患者ＩＤ９１１および検体番号９１２が記入されている。ここで、検体番号９１２とは、バーコード９０８の内容を示すものである。最近の病院では、サーバによる病院全体の一元管理が行われており、それに伴って、各種情報がバーコード化して利用されている。
【０００６】
検体用容器準備装置によりこのようなラベル９００が作成されるとともに、作成されたラベル９００が検体用容器に貼着される。それにより、検体採取に用いる検体用容器が、検体採取の前に予め準備される。そして、この検体用容器を用いて検体を採取するとともに、得られた検体について適宜検査が行われる。
【０００７】
例えば、病院では、外来患者が受付において所定の手続きをすると、患者に対して患者ＩＤが付与されるとともに、当該患者に関する情報、具体的には、患者の氏名、診療科名、検査の指示（例えば検査項目）、来院日（検査日）等の情報がサーバに入力される。
【０００８】
そして、検体用容器準備装置は、サーバに入力された上記の情報に基づいて、図９のラベル９００を作成するとともに、このラベル９００を検体用容器に貼着して当該患者に必要な検体用容器を準備する。患者の検体採取を行う際には、採取室（例えば、採血室）において、サーバに接続された端末から患者ＩＤ情報に基づいて当該患者の検査情報を確認するとともに、患者ＩＤ情報の内容と、図９のラベル９００に記載された情報の内容とを確認する。そして、患者から検体を採取するとともに、採取した検体を適切な検体用容器に収容する。
【０００９】
このようにして採取された検体は、検体用容器に保持された状態で検査室に搬送され、各種処理が行われる。それにより、検査結果が得られる。このような病院における検査は、外来患者に限定されず、病棟患者についても同様に行われる。
【００１０】
【特許文献１】特開平５−９７１３３号公報
【特許文献２】特開平８−１９８２２６号公報
【発明の開示】
【発明が解決しようとする課題】
【００１１】
上記のような検体用容器準備装置の導入には、高コストを要する。また、高コストを要して導入を行っても、病院では、外来患者および病棟患者を合わせて１日に非常に多数の患者の検査を行い、かつ、例えば採血検査では一人の患者について平均３本程度の採血管を用いて採血を行うことから、検査に必要な数の検体用容器の全てを検体用容器準備装置によってまかなうことができず、病院で使用する検体用容器の８〜９割程度にしか対応することができない。それゆえ、残りの検体用容器については、従来のような手作業によるラベル貼着が必要となるとともに、手作業に用いるラベル作成のためのプリンタ等が検体用容器準備装置とは別に必要となる場合もある。
【００１２】
また、検体用容器準備装置を用いる場合には、予め患者に対応して検体用容器を準備する構成となるため、検体用容器が予め準備されていない患者や、準備していた数よりも多くの検体用容器が必要となった患者等への対応が不十分であり、緊急時への対応が困難である。例えば、救急患者に対して緊急で検査が必要となった場合や、検体用容器の破損や検査項目の追加等により、準備していた検体用容器の数よりも多くの検体用容器が必要となった場合には、検体用容器準備装置を用いた検体用容器の準備が間に合わず、よって、従来のような手作業によるラベル貼着が必要となる。
【００１３】
また、病院では、通常、検体の有効期限が設定されており、この有効期限の判断等において検体の採取時刻が重要となるが、検体用容器準備装置により準備された検体用容器では、検体を採取した時刻に関する情報をラベル９００に自動で印字することができない。したがって、当該時刻情報を記録しようとすると、手作業による記入が必要となる。
【００１４】
さらに、作成したラベルには、患者に関する個人情報が記載されているため、患者のプライバシーを侵害する可能性を有する。
【００１５】
この発明は、上述した従来技術による問題点を解消するため、検体採取作業の効率向上を図るとともに検体情報の一元管理を容易に行うことが可能な検体情報管理装置および検体情報管理方法を提供することを目的とする。
【課題を解決するための手段】
【００１６】
上述した課題を解決し、目的を達成するため、請求項１の発明にかかる検体情報管理装置は、検体採取前に予め被験者に付与された被験者識別情報と、当該被験者の検査情報とが入力され、前記被験者識別情報と前記検査情報とをデータベースに登録するデータベース登録手段と、前記被験者識別情報の読み取り手段と、検体用容器に予め付与された検体用容器識別情報を読み取る容器識別情報読み取り手段と、前記被験者識別情報と前記検査情報と前記検体用容器識別情報との関連付けを行う紐付け手段と、を備えることを特徴とする。
【００１７】
かかる構成によれば、紐付け手段によって、検体用容器識別情報を、予めデータベース登録手段に登録された被験者識別情報および検査情報と関連付けることが可能となる。したがって、従来のように検体用容器に予めラベル等によって被験者識別情報や検査情報を記載する必要がなく、言い換えれば、予め個々の被験者に被験者専用の検体用容器を準備しておかなくても、検体採取時の検体用容器識別情報の読み取りにより、随時、被験者と検体用容器とを自動的に対応付けることが可能となる。
【００１８】
したがって、かかる構成では、検体用容器識別情報が付与された検体用容器を予め準備するだけでよく、それゆえ、被験者の数が多い場合や、緊急および不測の場合においても、速やかに対応することが可能となる。その結果、ラベルの貼着を手作業で行う必要が一切なくなり、検体採取の作業効率の向上が図られるとともに、被験者の取り違え等による誤作業の防止が図られる。
【００１９】
また、請求項２の発明にかかる検体情報管理装置は、請求項１に記載の発明において、入力された前記被験者識別情報に基づいて前記データベースから前記検査情報を検索するとともに、入力された前記検体用容器識別情報に基づいて前記データベースから前記被験者識別情報および前記検査情報の検索を行うデータベース検索手段をさらに備えることを特徴とする。
【００２０】
かかる構成によれば、被験者識別情報、検査情報および検体用容器識別情報の一元管理が実現されるので、検体情報を正確にかつ効率よく管理することが可能となる。特に、ここでは、検体用容器識別情報のみが付与された検体用容器について、データベースの検索から被験者識別情報および検査情報を取得することが可能となるので、従来のように被験者の個人情報を記載したラベル等を検体用容器に貼着する必要がない。したがって、個人情報の保護が図られる。
【００２１】
また、請求項３の発明にかかる検体情報管理装置は、請求項１または２に記載の発明において、前記被験者識別情報、前記検査情報および前記検体用容器識別情報を表示する表示手段をさらに備え、前記表示手段に表示された前記検査情報に基づいて検体採取および検体検査を行うことを特徴とする。
【００２２】
かかる構成によれば、表示手段に表示された被験者識別情報、検査情報および検体用容器識別情報に基づいて、処理等の内容を確認することが可能となる。また、被験者識別情報、検査情報および検体用容器識別情報の間の対応関係を一目で確認することが可能となる。
【００２３】
また、請求項４の発明にかかる検体情報管理装置は、請求項２または３に記載の発明において、検体採取受付部に配設された第１の端末と、検体採取部に配設された第２の端末と、検体処理部に配設された第３の端末と、ネットワークを介して前記第１、第２および第３の端末が接続されたサーバとを備え、前記サーバは、前記データベース登録手段と、前記紐付け手段と、前記データベース検索手段とを少なくとも備え、前記第１の端末は、前記被験者識別情報と前記検査情報とを入力する入力手段を備え、前記第２の端末は、前記被験者識別情報の読み取り手段と、前記容器識別情報読み取り手段と、前記表示手段とを備え、前記第３の端末は、前記容器識別情報読み取り手段と、前記表示手段とを備えることを特徴とする。
【００２４】
かかる構成によれば、サーバによる検体情報の一元管理が容易に実現可能となる。そして、このようなサーバによる管理の下で、ミスのない処理を効率よく行うことが可能となる。
【００２５】
また、請求項５の発明にかかる検体情報管理装置は、請求項１〜４のいずれか一つに記載の発明において、前記検体用容器識別情報がバーコードで表示され、前記容器識別情報読み取り手段がバーコードリーダであることを特徴とする。
【００２６】
かかる構成によれば、バーコードリーダを用いて容易かつ正確に検体用容器識別情報を読み取ることが可能となる。それゆえ、さらに検体採取の作業効率の向上が図られる。
【００２７】
また、請求項６の発明にかかる検体情報管理装置は、請求項１〜５のいずれか一つに記載の発明において、計時手段をさらに備え、前記データベース登録手段は、前記計時手段により取得される検体採取時刻情報を前記データベースに登録することを特徴とする。
【００２８】
かかる構成によれば、検体がいつ採取されたものであるかという検体採取時刻情報を、自動的にデータベースに登録することが可能となる。このようにして取得された検体採取時刻情報により、検体の有効期限管理等を容易にかつ正確に行うことが可能となる。
【００２９】
また、請求項７の発明にかかる検体情報管理装置は、請求項１〜６のいずれか一つに記載の発明において、前記容器識別情報読み取り手段による第１回目の読み取りにより取得された前記検体用容器識別情報が、前記紐付け手段による前記関連付けに用いられ、前記容器識別情報読み取り手段による第２回目の読み取りにより取得された前記検体用容器識別情報が、検体採取の終了確認に用いられることを特徴とする。
【００３０】
かかる構成によれば、第２回目の読み取りにより取得された検体用容器識別情報によって検体採取の終了確認が行われるので、データベースに登録された検査情報に基づき、採取漏れ等を生じることなく必要な検体採取を適切に行うことが可能となる。また、例えば、第２回目の検体用容器識別情報の読み取りが行われた時刻を検体採取時刻とする構成では、当該読み取りによって、検体採取時刻情報を容易に取得することが可能となる。
【００３１】
また、請求項８の発明にかかる検体情報管理装置は、請求項１〜７のいずれか一つに記載の発明において、前記表示手段は、検体採取が終了した前記検体用容器の前記検体用容器識別情報と、検体が未終了の前記検体用容器の前記検体用容器識別情報とを、判別可能に表示することを特徴とする。
【００３２】
かかる構成によれば、検体用容器毎に検体採取の終了／未終了を確認することが可能となるので、採取漏れ等を生じることなく速やかな作業を実現することが可能となる。
【００３３】
また、請求項９の発明にかかる検体情報管理方法は、検体採取の前に予め被験者に付与された被験者識別情報と、当該被験者の検査情報とを入力して前記被験者識別情報と前記検査情報とをデータベースに登録する工程と、検体採取の前に予め検体用容器に付与された検体容器識別情報の読み取りを行う検体用容器識別情報読み取り工程と、前記検体用容器識別情報読み取り工程で読み取った前記検体用容器識別情報を、前記データベースに登録された前記被験者識別情報および前記検査情報と関連付ける工程と、含むことを特徴とする。
【００３４】
かかる構成によれば、紐付け工程によって、検体用容器識別情報を、予めデータベース登録手段に登録された被験者識別情報および検査情報と関連付けることが可能となる。したがって、従来のように検体用容器に予めラベル等によって被験者識別情報や検査情報を記載する必要がなく、言い換えれば、予め個々の被験者に被験者専用の検体用容器を準備しておかなくても、検体採取時の検体用容器識別情報の読み取りにより、随時、被験者と検体用容器とを自動的に対応付けることが可能となる。
【００３５】
したがって、かかる構成では、検体用容器識別情報が付与された検体用容器を予め準備するだけでよく、それゆえ、被験者の数が多い場合や、緊急および不測の場合においても、速やかに対応することが可能となる。その結果、ラベルの貼着を手作業で行う必要が一切なくなり、検体採取の作業効率の向上が図られるとともに、被験者の取り違え等による誤作業の防止が図られる。
【００３６】
また、請求項１０の発明にかかる検体情報管理方法は、請求項９に記載の発明において、前記被験者識別情報の読み取りを行うとともに、読み取った前記被験者識別情報に基づいて、前記データベースから前記検査情報の検索を行う工程と、前記検索により取得された前記検査情報に基づいて検体用容器を選定する工程と、前記検体用容器識別情報の読み取りを行うとともに、読み取った前記検体用容器識別情報に基づいて、前記データベースから前記被験者識別情報および前記検査情報の検索を行う工程とをさらに含むことを特徴とする。
【００３７】
かかる構成によれば、被験者識別情報、検査情報および検体用容器識別情報の一元管理が実現されるので、検体情報を正確にかつ効率よく管理することが可能となる。特に、ここでは、検体用容器識別情報のみが付与された検体用容器について、データベースの検索から被験者識別情報および検査情報を取得することが可能となるので、従来のように被験者の個人情報を記載したラベル等を検体用容器に貼着する必要がない。したがって、個人情報の保護が図られる。
【００３８】
また、請求項１１の発明にかかる検体情報管理方法は、請求項９または１０に記載の発明において、前記検体用容器識別情報がバーコードで表示され、前記検体用容器識別情報読み取り工程は、前記検体用容器識別情報の読み取りをバーコードリーダにより行うことを特徴とする。
【００３９】
かかる構成によれば、バーコードリーダを用いて容易かつ正確に検体容器識別情報を読み取ることが可能となる。それゆえ、さらに検体採取の作業効率の向上が図られる。
【発明の効果】
【００４０】
本発明にかかる検体情報管理装置および検体情報管理方法によれば、検体採取作業の効率向上が図られるとともに検体情報の一元管理を容易に行うことが可能になるという効果が奏される。
【発明を実施するための最良の形態】
【００４１】
以下に添付図面を参照して、この発明にかかる検体情報管理装置および検体情報管理方法の好適な実施の形態を詳細に説明する。ここでは、本発明に適用される検体採取として採血を例示するとともに、検体用容器として採血管を例示する。採血検査対象は、外来患者および病棟患者のいずれであってもよい。
【００４２】
（実施の形態）
図１は、本発明の実施の形態にかかる検体情報管理装置の全体構成を示す模式図である。図１に示すように、検体情報管理装置では、サーバ１００により、受付１０１、採血室１０２および検査室１０３の情報管理がネットワーク１０４を介して行われる。ここで、受付１０１とは、病院の外来受付や診療科の受付に該当する。
【００４３】
検体情報管理装置は、病院全体の情報管理を行うサーバ１００と、受付１０１に配設された端末１０５と、採血室１０２に配設された端末１０７と、検査室１０３に配設された端末１０９および分析装置１１１と、サーバ１００、端末１０５，１０７，１０９および分析装置１１１を接続する病院内に配設されたネットワーク（ＬＡＮ）１０４とから構成される。
【００４４】
なお、ここでは、ネットワーク１０４を介してサーバ１００に接続された受付１０１の端末１０５が１つである場合を例示したが、複数の端末１０５が接続された構成であってもよい。また、採血室１０２および検査室１０３についても、受付１０１と同様、複数の端末１０７，１０９が接続された構成であってもよい。
【００４５】
受付１０１に配設された端末１０５、採血室１０２に配設された端末１０７および検査室１０３に配設された端末１０９のハードウェア構成の詳細については、図示および詳細説明を省略するが、端末１０５は、例えば、ＣＰＵ、メモリ、ディスプレイ、入力手段であるキーボード１０６やマウス等を備える。また、端末１０７および端末１０９は、例えば、ＣＰＵ、メモリ、ディスプレイ、入力手段であるバーコードリーダ１０８，１１０やキーボード等を備える。これらの端末１０５，１０７，１０９は、プリンタ等の周辺機器に適宜接続されていてもよい。
【００４６】
検査室１０３に配設された分析装置１１１は、検査の種類に対応して複数配設されていてもよく、また、同一種類の検査を行う分析装置１１１が複数配設されていてもよい。分析装置１１１とは、具体的には、測定装置等に相当する。
【００４７】
図２は、図１のサーバ１００のハードウェア構成を示すブロック図である。図２に示すように、図１のサーバ１００は、ＣＰＵ２０１と、ＲＯＭ２０２と、ＲＡＭ２０３と、ＨＤＤ（ハードディスクドライブ）２０４と、ＨＤ（ハードディスク）２０５と、ディスプレイ２０６と、ネットワークＩ／Ｆ（インターフェース）２０７と、キーボード２０８と、マウス２０９とから構成されている。
【００４８】
上記の各構成部２０１〜２０９は、バス２００によってそれぞれ接続されている。なお、ここでは図示を省略しているが、サーバ１００（図１参照）は、ＦＤドライブ、ＣＤ／ＤＶＤドライブ、着脱可能な記録媒体の一例であるＦＤ、ＣＤ、ＤＶＤとを適宜含んで構成されてもよく、また、スキャナやプリンタ等の周辺機器を適宜含んで構成されてもよい。
【００４９】
ＣＰＵ２０１は、サーバ１００（図１参照）全体の制御を司る。ＲＯＭ２０２は、ブートプログラム等を記憶している。ＲＡＭ２０３は、ＣＰＵ２０１のワークエリアとして使用される。ＨＤＤ２０４は、ＣＰＵ２０１の制御にしたがってＨＤ２０５に対するデータのリード／ライトを制御する。ＨＤ２０５は、ＨＤＤ２０４の制御にしたがって書き込まれたデータを記憶する。ディスプレイ２０６は、カーソル、ウィンドウ、アイコン等をはじめ、文書や画像等の各種の情報を表示する。ネットワークＩ／Ｆ２０７は、ネットワーク１０４に接続され、当該ネットワーク１０４とサーバ１００（図１参照）の内部との情報の送受信を司る。キーボード２０８およびマウス２０９は、サーバ１００（図１参照）内部へ情報を入力するための入力手段である。
【００５０】
図３は、図１のサーバ１００の機能的構成を示すブロック図である。図３に示すように、サーバ１００は、受信部３０１と、送信部３０２と、制御部３０３と、データベース管理部３０４と、データベース（以下、ＤＢと略す）３０８とを備える。そして、データベース管理部３０４は、登録部３０５と、検索部３０６と、紐付け部３０７とを含んで構成される。制御部３０３は、受信部３０１、送信部３０２、データベース管理部３０４およびＤＢ３０８の各部の制御を行い、後述する検体情報管理を実現する機能部である。
【００５１】
受信部３０１は、ネットワーク１０４（図１参照）を介して受付１０１（図１参照）、採血室１０２（図１参照）および検査室１０３（図１参照）の端末１０５，１０７，１０９（図１参照）等から送信される各種の情報、具体的には、後述する患者ＩＤ情報Ｄ１や、検査情報Ｄ２や、採血管ＩＤ情報Ｄ３や、紐付け情報Ｄ４や、採血時刻情報Ｄ５等の受信情報を受信する。
【００５２】
データベース管理部３０４は、受信部３０１で受信された各情報を登録部３０５で登録し、各情報をＤＢ３０８に格納する。そして、各端末１０５，１０７，１０９（図１参照）からの読み出し要求に応じて、データベース管理部３０４の検索部３０６が、ＤＢ３０８から情報を適宜検索して読み出す。このようにして読み出された情報は、送信部３０２からネットワーク１０４（図１参照）を介して各端末１０５，１０７，１０９（図１参照）に適宜送信される。
【００５３】
また、データベース管理部３０４の紐付け部３０７は、各端末１０５，１０７，１０９（図１参照）からサーバ１００に送信された情報（例えば、後述する採血管ＩＤ情報Ｄ３に相当）とＤＢ３０８に格納された情報（例えば、後述する患者ＩＤ情報Ｄ１および検査情報Ｄ２に相当）との関連付けを行う、言い換えると、受信した情報（採血管ＩＤ情報Ｄ３）をＤＢ３０８内の情報（患者ＩＤ情報Ｄ１および検査情報Ｄ２）とを関連付けて紐付けする。
【００５４】
ここでは、受信した情報（採血管ＩＤ情報Ｄ３）とＤＢ３０８内の情報（患者ＩＤ情報Ｄ１および検査情報Ｄ２）との関連を示す情報を、紐付け情報Ｄ４と呼ぶ。この紐付け情報Ｄ４は、登録部３０５で登録された後、ＤＢ３０８に格納される。詳細は後述するが、例えば、検査室１０３（図１参照）の端末１０９（図１参照）からサーバ１００に採血管ＩＤ情報Ｄ３が送信されると、サーバ１００では、受信した採血管ＩＤ情報Ｄ３に基づいて、検索部３０６がＤＢ３０８の検索を行う。
【００５５】
この検索では、入力された採血管ＩＤ情報Ｄ３から、紐付け情報Ｄ４を利用して、当該採血管ＩＤ情報Ｄ３に関連する患者ＩＤ情報Ｄ１および検査情報Ｄ２を検索して読み出すことが可能となる。このようにして読み出した患者ＩＤ情報Ｄ１および検査情報Ｄ２は、送信部３０２からネットワーク１０４（図１参照）を介して端末１０９（図１参照）に送信される。それにより、端末１０９（図１参照）では、採血管ＩＤ情報Ｄ３から患者ＩＤ情報Ｄ１および検査情報Ｄ２を取得することが可能となる。
【００５６】
以上のように、本実施の形態にかかる検体情報管理装置では、サーバ１００の登録部３０５およびＤＢ３０８がデータベース登録手段に相当し、採血室１０２の端末１０７が被験者識別情報の読み取り手段に相当し、採血室１０２のバーコードリーダ１０８および端末１０７が容器識別情報読み取り手段に相当し、サーバ１００の紐付け部３０７が紐付け手段に相当し、サーバ１００の検索部３０６がデータベース検索手段に相当し、受付１０１、採血室１０２および検査室１０３の端末１０５，１０７，１０９およびサーバ１００のディスプレイが、表示手段に相当する。また、採血室１０２の端末１０７が内蔵する時計が、計時手段に相当する。さらに、ここでは、被験者識別情報が患者ＩＤ情報Ｄ１に相当し、検査情報が検査情報Ｄ２に相当し、検体用容器識別情報が採血管ＩＤ情報Ｄ３に相当する。
【００５７】
続いて、上記の構成を有する検体情報管理装置における検体情報管理の処理について説明することにより、本実施の形態における検体情報管理方法を説明する。ここでは、通常の外来患者または病棟患者の採血における検体情報管理について説明する。図４は、図１に示す検体情報管理装置における検体情報管理の処理概要を示すフローチャートである。また、図５は、図４に示すサーバ１００と端末１０７との間における処理の具体的態様を示す図である。
【００５８】
まず、図４に示すように、患者が受付１０１（図１参照）にて所定の手続きを行うと、患者ＩＤが付与される（ステップＳ１０１）。ここで、患者ＩＤとは、例えば、受付１０１（図１参照）で患者に付与されたＩＤカード等の識別番号のことであり、以下で説明する患者ＩＤ情報Ｄ１とは、具体的には、当該識別番号の情報に相当する。また、所定の手続きとは、例えば、氏名、性別、診療科名、病棟等の記入であり、この手続きによって、患者の情報が取得される。
【００５９】
患者の手続きが終了すると、受付１０１（図１参照）では、端末１０５（図１参照）がサーバ１００に患者情報登録要求を送信する。サーバ１００は、当該要求を受信すると、患者情報登録フォームを端末１０５に送信する。そして、患者情報登録フォームを受信した端末１０５（図１参照）では、取得した患者ＩＤ情報Ｄ１と、当該患者への検査の内容を示す検査情報Ｄ２とを入力する（ステップＳ１０２）。入力が終了した患者情報登録フォームは、端末１０５から再びサーバ１００に送信されてサーバ１００で受信される。それにより、サーバ１００において、端末１０５から送信された患者ＩＤ情報Ｄ１および検査情報Ｄ２が、登録部３０５（図３参照）に登録されてＤＢ３０８（図３参照）に格納される（ステップＳ１０３）。
【００６０】
図６は、患者ＩＤ情報Ｄ１および検査情報Ｄ２を格納したＤＢ３０８の構成を示す模式図である。図６に示すように、ＤＢ３０８は、患者ＩＤ、患者名、検査日および検査項目に関する情報を含む。なお、図６では、後述する採血時において新たに情報が格納される採血管１，２のＩＤおよび採血時刻を空欄としている。
【００６１】
例えば、このＤＢ３０８から、「１２３４５」という患者ＩＤ情報Ｄ１（図４参照）が付与されたのは「山田太郎」であるという情報が得られる。また、「山田太郎」については、「採血管１」および「採血管２」を用いて採血を行うとともに、「採血管１」は「グルコース」および「ＨｂＡ１ｃ」の検査に供し、「採血管２」は「ＣＲＰ」および「ＡＳＴ」の検査に供するという検査情報Ｄ２（図４参照）が得られる。
【００６２】
「山田太郎」が採血室１０２（図１参照）に行くと、まず、患者ＩＤの読み取りが行われる（ステップＳ１０４）。そして、かかる読み取りにより取得された患者ＩＤ情報Ｄ１が、採血室１０２（図１参照）の端末１０７からサーバ１００に送信される。サーバ１００では、受信された患者ＩＤ情報Ｄ１に基づいて、検索部３０６がＤＢ３０８の検索を行い（ステップＳ１０５）、それにより、当該患者の検査情報Ｄ２を読み出す。そして、このようにして取得された検査情報Ｄ２を、端末１０７に送信する。
【００６３】
サーバ１００から検査情報Ｄ２を受信した端末１０７は、検査情報Ｄ２に基づいて採血指示に関する情報を作成し、図５に示すように、当該採血指示情報を端末１０７のディスプレイに表示（すなわち、採血指示表示）する（ステップＳ１０６）。図６のＤＢ３０８の説明において前述したように、当該患者には、「グルコース」および「ＨｂＡ１ｃ」の検査のための採血管１と、「ＣＲＰ」および「ＡＳＴ」の検査のための採血管２とを用いて採血を行う必要があることから、端末１０７のディスプレイには、図５に示すように、採血管１に該当する茶栓の採血管と、採血管２に該当する青栓の採血管とを各一本ずつ採血に用いるよう指示が表示される。
【００６４】
ここで、茶栓の採血管とは、具体的には、グルコース値およびＨｂＡ１ｃ値の検査に供される検体のための採血管、すなわち、図５の採血管５００ａであり、また、青栓の採血管とは、具体的には、ＣＲＰ値およびＡＳＴ値の検査に供される検体のための採血管、すなわち、図５の採血管５００ｂである。通常、採血検査では検査の内容に応じてそれぞれ種類の異なる採血管が用いられ、それゆえ、採血室１０２（図１参照）には、８種類程度の採血管が各種類毎に複数準備されている。このため、採血者の作業性や採血管誤選定の防止等の点から、採血管の種類に応じて栓（キャップ）の色を変えており、一目で採血管の種類の識別が可能な構成としている。この場合、グルコース値およびＨｂＡ１ｃ値の検査に用いられる図５の採血管５００ａには、茶色の栓５０１ａが装着されており、一方、ＣＲＰ値およびＡＳＴ値の検査に用いられる図５の採血管５００ｂには、青色の栓５０１ｂが装着されている。
【００６５】
採血者は、図５に示すように、端末１０７のディスプレイに表示された採血指示表示に基づいて、茶色の栓５０１ａが装着された採血管５００ａと、青色の栓５０１ｂが装着された採血管５００ｂとを各一本ずつ選定する。そして、選定した採血管５００ａ，５００ｂの各々に貼着されたラベル５０２のバーコード５０２ａ，５０２ｂの各々を、バーコードリーダ１０８（図１参照）により読み取る（ステップＳ１０７）。ここでは、後述の読み取りステップＳ１１０と区別して、この読み取りを第１回の読み取りとする。
【００６６】
図７は、図５の採血管５００ａのラベル５０２の拡大図である。図７に示すように、ラベル５０２には、バーコード５０２ａと、採血管５００ａの容器の種類（すなわち、いずれの検査に用いるかを表す表示）７０１と、採取量７０２と、前述のバーコード５０２ａの内容を数表示した採血管ＩＤ番号７０３とが記載されている。ラベル５０２のバーコード５０２ａは、異なる種類の検査に用いられる採血管５００ｂとの間ではもちろんのこと、同種の検査に用いられる採血管５００ａの間においても採血管毎に異なっており、個々の採血管固有のものである。なお、図７はラベル５０２の構成の例示であり、これ以外の構成であってもよい。例えば、必要に応じて、ラベル５０２に、至急区分や感染症マーク等の表示を記載してもよい。
【００６７】
バーコードリーダ１０８（図１参照）によりバーコード５０２ａ，５０２ｂの読み取りを行うと、バーコード５０２ａ，５０２ｂによって表される採血管５００ａ，５００ｂの各採血管ＩＤ情報Ｄ３が取得される。具体的には、採血管５００ａの採血管ＩＤ情報Ｄ３は、後述の図８に示す「２２８−４４６５８」であり、採血管５００ｂの採血管ＩＤ情報Ｄ３は、後述の図８に示す「００２−３８５９７」である。これらの採血管ＩＤ情報Ｄ３は、端末１０７からサーバ１００に送信される。そして、サーバ１００では、受信した採血管５００ａ，５００ｂの各採血管ＩＤ情報Ｄ３が、紐付け部３０７（図３参照）により、患者ＩＤ情報Ｄ１および検査情報Ｄ２と紐付けされる（ステップＳ１０８）。
【００６８】
かかる紐付けにより、採血管５００ａ（図５参照）が、患者ＩＤ「１２３４５」（図６参照）の「山田太郎」（図６参照）の「グルコース」（図６参照）および「ＨｂＡ１ｃ」（図６参照）の検査に供される「採血管１」（図６参照）であり、また、採血管５００ｂ（図５参照）が、当該患者の「ＣＲＰ」（図６参照）および「ＡＳＴ」（図６参照）の検査に用いられる「採血管２」（図６参照）であるとの情報、すなわち、紐付け情報Ｄ４が、登録部３０５（図３参照）において登録された後、ＤＢ３０８（図３参照）に格納される（ステップＳ１０９）。
【００６９】
ここでは、採血管５００ａ（図５参照）が、図６に示すＤＢ３０８中の採血管１および採血管２のいずれに該当するか、また、採血管５００ｂ（図５参照）が、図６に示すＤＢ３０８中の採血管１および採血管２のいずれに該当するかは、各採血管５００ａ，５００ｂ（図５参照）に貼着された各バーコード５０２ａ，５０２ｂ（図５参照）に表示された情報に基づいて自動で識別される。
【００７０】
図８は、かかる紐付けにより取得されたＤＢ３０８の構成を示す模式図である。図８に示すように、図５の採血管５００ａのバーコード５０２ａ（図５参照）の読み出しにより取得された「２２８−４４６５８」という採血管ＩＤ情報Ｄ３が、「採血管１のＩＤ」としてＤＢ３０８に格納される。一方、図５の採血管５００ｂのバーコード５０２ｂ（図５参照）の読み出しにより取得された「００２−３８５９７」という採血管ＩＤ情報Ｄ３が、「採血管２のＩＤ」としてＤＢ３０８に格納される。
【００７１】
上記のようにして患者ＩＤ情報Ｄ１と検査情報Ｄ２と採血管ＩＤ情報Ｄ３との紐付けを行った後、図５に示すように、採血者は、患者の採血を行い、採取した血液を採血管５００ａ，５００ｂにそれぞれ収容する。そして、採血終了の確認のため、再度、バーコードリーダ１０８（図１参照）により採血管５００ａ，５００ｂのバーコード５０２ａ，５０２ｂを読み取る（ステップＳ１１０）。この第２回目のバーコード５０２ａ，５０２ｂの読み取りにより取得された採血管ＩＤ情報Ｄ３は、採血終了の信号として端末１０７に入力される。それにより、端末１０７のディスプレイに採血済みの表示が行われる。
【００７２】
図５に示すように、ここでは、採血済みの表示が、チェック記号を用いて行われる。具体的に、採血管５００ａの採血が終了すると茶栓表示横のチェックボックスにチェック記号が表示されるとともに、採血管５００ｂの採血が終了すると青栓表示横のチェックボックスにチェック記号が表示される。なお、採血済みの表示は、このようなチェック記号を用いたものに限定されるものではなく、これ以外の表示であってもよい。例えば、採血終了の信号である採血管ＩＤ情報Ｄ３が端末１０７に入力されると採血指示表示が消えるか、または、文字の表示色が変わる等の表示変化が実現される構成等であってもよい。
【００７３】
採血管５００ａ，５００ｂの採血が終了し全てのチェックボックスにチェック記号が表示されると、採血者は、検査が終了したことを示す採血終了信号をキーボードやマウス等の入力手段を用いて端末１０７に入力する。それにより、採血が終了する。この採血終了時には、図４に示すように、端末１０７が、内蔵の時計から取得される採血時刻情報Ｄ５をサーバ１００に送信する。そして、サーバ１００は、受信した採血時刻情報Ｄ５を登録部３０５に登録してＤＢ３０８（図３参照）に格納する（ステップＳ１１１）。それにより、図８に示すように、ＤＢ３０８に、採血管１および採血管２の採血時刻情報Ｄ５が加えられる。
【００７４】
なお、ここでは、２本の採血管５００ａ，５００ｂ（図５参照）の採血が終了した時刻を採血終了時刻としたが、例えば、採血管５００ａ，５００ｂ（図５参照）毎に採血が終了したらバーコード５０２ａ，５０２ｂ（図５参照）の読み取りを行い、各採血管５００ａ，５００ｂ（図５参照）毎に採血時刻情報Ｄ５を取得する構成であってもよい。
【００７５】
ところで、採血に失敗した場合には、失敗した採血管５００ａ，５００ｂ（図５参照）のバーコード５０２ａ，５０２ｂ（図５参照）を読み取って、ＤＢ３０８（図８参照）から当該採血管５００ａ，５００ｂ（図５参照）の採血管ＩＤ情報Ｄ３（図８参照）を読み出すとともに、ＤＢ３０８（図８参照）から当該採血管ＩＤ情報Ｄ３（図８参照）を消去する。それにより、図４中の記号Ａの段階に戻り、採血管５００ａ，５００ｂ（図５参照）の選定から改めて動作を行うことが可能となる。
【００７６】
図５に示すように、採血が終了した採血管５００ａ，５００ｂは、検査室１０３に搬送される。そして、検査室１０３では、採血管５００ａ，５００ｂの到着確認が行われるとともに（ステップＳ２０１）、バーコードリーダ１１０（図１参照）を用いて、採血管５００ａ，５００ｂのバーコード５０２ａ，５０２ｂの読み取りが行われる（ステップＳ２０２）。このようなバーコード５０２ａ，５０２ｂの読み取りによって、バーコード５０２ａ，５０２ｂに表示された各採血管５００ａ，５００ｂの採血管ＩＤ情報Ｄ３（図８参照）が取得される。そして、取得された採血管ＩＤ情報Ｄ３（図８参照）は、検査室１０３の端末１０９（図１参照）からサーバ１００（図１参照）に送信される。
【００７７】
サーバ１００では、受信した採血管ＩＤ情報Ｄ３（図８参照）に基づいて、検索部３０６（図３参照）がＤＢ３０８（図３参照）の検索を行う。それにより、図８に示すように、患者ＩＤ情報Ｄ１と検査情報Ｄ２とが、ＤＢ３０８から読み出される（ステップＳ２０３）。このようにして取得されたこれらの各情報Ｄ１，Ｄ２，Ｄ５は、サーバ１００（図３参照）から検査室１０３の端末１０９（図１参照）に送信され、端末１０９（図１参照）のディスプレイに表示される。
【００７８】
このように、検査室１０３では、採血管５００ａ，５００ｂのラベル５０２（図７参照）に患者ＩＤ情報Ｄ１（図８参照）および検査情報Ｄ２（図８参照）が一切記載されていないにもかかわらず、バーコード５０２ａ，５０２ｂを読み取ることにより取得される採血管ＩＤ情報Ｄ３（図８参照）に基づいて、サーバ１００（図３参照）のＤＢ３０８（図８参照）から容易かつ正確に患者ＩＤ情報Ｄ１（図８参照）および検査情報Ｄ２（図８参照）を読み出すことが可能となる。
【００７９】
図５に示すように、検査室１０３では、端末１０９（図１参照）のディスプレイに表示された検査情報Ｄ２（図８参照）に基づいて、採血管５００ａ，５００ｂに収容された検体の各々について分析装置１１１（図１参照）を用いてそれぞれ適切な処理が実施され、それにより、検体分析が行われる（ステップＳ２０４）。例えば、採血管５００ａに収容された検体については、読み出された検査情報Ｄ２（図８参照）に基づく分析処理が行われ、それにより、検体のグルコース値およびＨｂＡ１ｃ値が測定される。また、採血管５００ｂに収容された検体については、読み出された検査情報Ｄ２（図８参照）に基づく分析処理が行われ、それにより、検体のＣＲＰ値およびＡＳＴ値が測定される。
【００８０】
図１に示すように、ここでは、分析装置１１１がサーバ１００に接続されており、このようにして取得された各検査の結果情報は、ネットワーク１０４を通じてサーバ１００に送信される。サーバ１００では、これらの検査結果情報を登録部３０５（図３参照）に登録してＤＢに格納される。例えば、検査結果情報は、図８のＤＢ３０８に格納されてもよく、あるいは、新たに作成したＤＢに格納されてもよい。ＤＢに格納された検査結果情報は、例えばネットワーク１０４を通じて医局等の端末から読み出し可能である。
【００８１】
ステップＳ２０４の検体分析の際には、採血管５００ａ，５００ｂに収容された検体（いわゆる親検体）の一部の検体（いわゆる子検体）を、新たに用意した別の採血管に分注し、この子検体を親検体とは別の分析処理や保存等の用途に供してもよい。この場合、子検体を分注する採血管は、図５に示す採血管５００ａ，５００ｂと同様、採血管ＩＤ情報Ｄ３を含むバーコード５０２ａ，５０２ｂがラベルに記載されており、子検体の分注の際には、図４で前述した採血時と同様、採血管ＩＤ情報Ｄ３と患者ＩＤ情報Ｄ１の紐付けが行われる。
【００８２】
以上のように、本実施の形態にかかる検体情報管理装置およびそれを用いた検体情報管理方法では、採血管５００ａ，５００ｂ（図５参照）と患者との対応付け（すなわち紐付け）が、採血時にサーバ１００（図１参照）の一元管理の下で自動的に行われる。それゆえ、従来のように患者に対応した採血管（言い換えれば、個々の患者専用の採血管）を予め準備する必要がなく、採血管ＩＤ情報Ｄ３（図４参照）を含むバーコード５０２ａ，５０２ｂ（図５参照）が付与された採血管５００ａ，５００ｂ（図５参照）を予め準備するだけでよい。このような採血管５００ａ，５００ｂ（図５参照）は、ラベル５０２（図５参照）のバーコード５０２ａ，５０２ｂ（図５参照）の自動印字と当該ラベルの自動貼着とにより、効率よく低コストで大量に準備することが可能である。
【００８３】
したがって、本実施の形態の検体情報管理装置および検体情報管理方法によれば、従来技術で前述した検体用容器準備装置を導入することなく、病院で使用する採血管の全部を準備することが可能となる。それゆえ、手作業によるラベル貼着が一切不要となり、採血の作業効率が向上して患者の待ち時間が低減されるとともに、ラベル誤貼着による採血管の取り違えや患者取り違え等の医療ミスの発生が防止される。
【００８４】
また、患者に応じて当該患者専用の採血管を選定し採血を行う必要がないので、採血管の誤選定による患者の取り違えの発生が防止される。さらに、ここでは、図４に示すように、患者ＩＤ情報Ｄ１と検査情報Ｄ２と採血管ＩＤ情報Ｄ３とが一元管理されているので、効率よく正確な情報管理を行うことが可能であり、かつ、これらの情報Ｄ１〜Ｄ３に基づいて適切な採血指示が与えられる等の、誤作業の発生が防止される。
【００８５】
また、従来の検体用容器準備装置を用いた構成では、病院内に当該装置を配設して随時検体用容器を準備する必要があるが、本実施の形態の構成では、採血管５００ａ，５００ｂ（図５参照）を準備するための装置を必ずしも病院内に配設する必要はなく、例えば外注による採血管５００ａ，５００ｂ（図５参照）の導入が可能である。また、採血管５００ａ，５００ｂ（図５参照）を準備する段階では患者との対応関係がないことから、その日に検査を受ける患者の人数に関係なく、予め十分な数の採血管５００ａ，５００ｂ（図５参照）を準備することが可能となる。さらに、採血管５００ａ，５００ｂはいずれの患者にも使用可能であり、よって、その日に使用されなかった採血管５００ａ，５００ｂを、例えば、翌日に別の患者に使用することが可能となる。
【００８６】
また、採血終了時に自動的に採血時刻情報Ｄ５（図４参照）がサーバ１００に送信されてＤＢ３０８（図８参照）に格納されるので、従来のように採血終了時刻の記入作業を別工程で行う必要がない。したがって、作業効率がさらに向上するとともに、正確な採血終了時刻を把握して適切な検体管理を行うことが可能となる。
【００８７】
また、本実施の形態では、採血管５００ａ，５００ｂ（図５参照）のラベル５０２には、バーコード５０２ａ，５０２ｂおよび必要最低限の情報だけが表示されていればよく、それ以外の患者の情報や検査に関する情報（具体的には、図９に示す従来のラベル９００の項目９０１，９０２等）が不要となる。したがって、従来の場合に比べて、プライバシーの保護が図られるとともに、ラベル９００の面積の低減化も可能となる。さらに、本実施の形態では、サーバ１００（図１参照）による一元管理の下で、個々の採血管５００ａ，５００ｂの履歴を追うことも可能である。
【００８８】
さらに、上記においては、通常の外来患者または病棟患者の採血に本発明の検体情報管理装置を適用する場合について説明したが、本発明の検体情報管理装置は、救急患者等の不測の事態により緊急の採血が必要になった場合において、より有効な効果が奏される。以下、かかる場合を詳細に説明する。
【００８９】
例えば、救急患者に緊急の採血が必要になった場合に、検体情報管理装置では、患者情報の記入等の所定の手続きを省略し、図４に示すように、患者に患者ＩＤが付与される（ステップＳ１０１）。そして、ステップＳ１０２において患者名を除き患者ＩＤおよび検査項目のみを入力した患者情報登録フォームを、受付の端末１０５からサーバ１００に送信する。それにより、患者ＩＤ情報Ｄ１と検査情報Ｄ２とがＤＢ３０８（図３参照）に格納されるが（ステップＳ１０３）、ＤＢ３０８（図３参照）には患者名が未登録のままである。
【００９０】
採血時には、このように患者名が未登録のＤＢ３０８（図３参照）を用いて、上記の通常の場合と同様に、ステップＳ１０４〜ステップＳ１１１の処理が行われる。ここで、この場合には、採血室１０２（図１参照）の端末１０７から送信された患者ＩＤ情報Ｄ１に基づいてサーバ１００がＤＢ３０８（図３参照）の検索を行うと（ステップＳ１０５）、検査情報Ｄ２を取得することは可能であるが、ＤＢ３０８（図３参照）に格納されていない患者名については不明のままである。したがって、検査情報Ｄ２に基づいて端末１０７のディスプレイに表示される採血指示表示では、患者名が表示されない。
【００９１】
しかしながら、採血時に患者名が不明であっても、検体情報管理装置では、処理の停滞や不備をきたすことはなく、上記の通常の場合と同様の処理を実施することが可能となる。また、患者名は、採血中または採血後において判明した際にＤＢ３０８（図３参照）に適宜登録することが可能である。したがって、このような緊急の採血においても、患者名に関する点以外は、上記の通常の場合と何ら相違がなく、通常の場合と同様の効果を奏することが可能である。
【００９２】
一方、検体用容器準備装置を用いる方法をこのような緊急の場合に適用すると、患者名が不明なので検体用容器準備装置によるラベルの印字が実行不可能であり、ラベル記入および貼着を手作業で行う必要がある。また、受付時に患者名が判明したとしても、受付後にラベルの印字や貼着等を行って採血管を準備したのでは、準備に時間を要し受付後に速やかに採血を行うことができない。よって、この場合も、ラベル記入および貼着を手作業で行う必要が生じる。このように、検体用容器準備装置を用いる方法では、緊急および不測の事態への対応が困難である。
【００９３】
このように、本発明にかかる検体情報管理装置および検体情報管理方法によれば、緊急時や不測の事態においても、通常の場合と同様の処理により速やかに採血を行って、通常の場合と同様の検体情報管理を行うことが可能となる。したがって、緊急時や不測の事態においても、通常の場合と同様の効果が奏され、緊急時や不測の事態への高い対応性を実現することが可能となる。
【００９４】
なお、上記においては、不測の救急患者への緊急対応について説明したが、検査を予定していた患者についても、予定していた検査の他に追加で検査を行う場合や、採血の失敗および採血管５００ａ，５００ｂ（図５参照）の破損等といった不測の事態が生じた場合は、いわゆる緊急対応となる。検体用容器準備装置を用いる構成では、これらの場合における緊急対応も困難であるが、本発明にかかる検体情報管理装置および検体情報管理方法によれば、高い対応性を実現することが可能となる。
【００９５】
以上のように、本発明にかかる検体情報管理装置および検体情報管理方法によれば、採血検査に関する種々の情報をサーバ１００により一元管理することが可能となり、その結果、患者や採血管の取り違えによるミスのない採血を、効率よく速やかに行うことが可能となる。また、このような検体情報管理装置および検体情報管理方法では、通常検査および緊急検査のいずれの場合においても同様の検体情報管理が可能であり、いずれの場合も同様の効果を実現可能となる。例えば、採血が必要な患者の数が多く非常に多数の採血管が必要な場合や、予定していなかった採血検査を行う場合にも、十分な対応が可能である。
【００９６】
上記の実施の形態は、本発明にかかる検体情報管理装置および検体情報管理方法の例示であり、本発明にかかる検体情報管理装置および検体情報管理方法の構成は、これに限定されるものではない。例えば、上記においては、図５に示すように、採血管５００ａ，５００ｂの本体にラベル５０２が貼着される構成を例示したが、採血管５００ａ，５００ｂのラベル５０２の位置はこれに限定されるものではない。
【００９７】
具体例として、体積が小さい採血管５００ａ，５００ｂを用いる場合には、採血管５００ａ，５００ｂの本体表面も小さいので、採血管５００ａ，５００ｂへのラベル５０２の貼着が困難となる。そこで、この場合には、採血管５００ａ，５００ｂにラベル５０２を直接貼着するのではなく、例えば、採血管５００ａ，５００ｂの保持具等にラベル５０２を配置してもよい。また、ラベル５０２のバーコード５０２ａ，５０２ｂは、一次元バーコードであってもよく、二次元バーコードであってもよい。
【００９８】
また、上記の実施の形態では、採血管ＩＤ情報Ｄ３をバーコード５０２ａ，５０２ｂにより表示する場合を例示したが、バーコード５０２ａ，５０２ｂ以外により採血管ＩＤ情報Ｄ３を表示する構成であってもよい。例えば、バーコード５０２ａ，５０２ｂが記載されたラベル５０２の代わりに、採血管ＩＤ情報Ｄ３を含むＩＣタグや無線タグ等を用いてもよい。バーコード５０２ａ，５０２ｂやＩＣタグを用いる場合には、採血管ＩＤ情報Ｄ３の読み取りを正確かつ速やかに行うことが可能となるので好ましい。
【００９９】
また、上記の実施の形態においては、本発明にかかる検体情報管理装置および検体情報管理方法を採血に適用する場合について適用したが、採血以外の検体採取への適用も可能である。
【産業上の利用可能性】
【０１００】
以上のように、本発明にかかる検体情報管理装置および検体情報管理方法は、作業効率が高く誤作業の防止が図られた検体採取の実現と検体情報の一元管理の実現とが可能な検体情報管理装置および検体情報管理方法として有用である。特に、１日に多数の患者の検査が行われる病院や、緊急時への対応が要求される病院において、本発明にかかる検体情報管理装置および検体情報管理方法の使用は有効である。
【図面の簡単な説明】
【０１０１】
【図１】本発明にかかる検体情報管理装置の全体構成を示す模式図である。
【図２】図１のサーバのハードウェア構成を示すブロック図である。
【図３】図１のサーバの機能的構成を示すブロック図である。
【図４】図１の検体情報管理装置における検体情報管理の処理概要を示すフローチャートである。
【図５】図４に示すサーバと端末との間における処理の具体的態様を示す図である。
【図６】患者ＩＤ情報および検査情報を格納したデータベースの構成を示す模式図である。
【図７】図５のラベルの拡大図である。
【図８】患者ＩＤ情報、検査情報および採血管ＩＤ情報を格納したデータベースの構成を示す模式図である。
【図９】従来のラベルの例を示す図である。
【符号の説明】
【０１０２】
１００  サーバ
１０１  受付
１０２  採血室
１０３  検査室
１０４  ネットワーク
１０５，１０７，１０９  端末
１０８，１１０  バーコードリーダ
１１１  分析装置
３０１  受信部
３０２  送信部
３０３  制御部
３０４  データベース管理部
３０５  登録部
３０６  検索部
３０７  紐付け部
３０８  データベース
５００ａ，５００ｂ  採血管
５０２ａ，５０２ｂ  バーコード
５０２  ラベル
【図１】
2006090937.tif 000003
【図２】
2006090937.tif 000004
【図３】
2006090937.tif 000005
【図４】
2006090937.tif 000006
【図５】
2006090937.tif 000007
【図６】
2006090937.tif 000008
【図７】
2006090937.tif 000009
【図８】
2006090937.tif 000010
【図９】
2006090937.tif 000011